(57)【要約】【課題】起毛素材を用いたフィルタの表面更新が可能な乾式集塵システムのエアフィルタ内部粉塵除去装置の提供。【解決手段】乾式集塵システム１００のエアフィルタ２２２内部粉塵除去装置において、エアフィルタ２２２は、起毛素材が用いられて円筒状のフレーム２２１の外表面に設けられ、フレーム２２１は円筒の中心軸を回転軸に回転する回転機構であるフィルタ用モータ２１０を備え、粉塵回収ノズル１５５には、ブラシ用モータ１５６を有してエアフィルタ２２２表面を擦るように突出するブラシ１５８が設けられた回転ブラシ１５７が備えられ、粉塵回収ノズル１５５は、エアフィルタ２２２の表面を軸方向に往復移動するように備えられたヘッド移動機構に支持される。【選択図】図１
2017100083.tif 000002
【特許請求の範囲】
【請求項１】
乾式集塵システムに備えられたエアフィルタ表面より、粉塵を回収する粉塵回収ノズルと、前記粉塵回収ノズルにホースを介して接続される集塵機と、を有する乾式集塵システムのエアフィルタ内部粉塵除去装置において、
前記エアフィルタは、起毛素材が用いられて円筒状のフレームの外表面に設けられ、前記フレームは円筒の中心軸を回転軸に回転する回転機構を備え、
前記粉塵回収ノズルには、回転機構を有して前記エアフィルタ表面を擦るように突出するブラシが設けられた回転ブラシが備えられ、
前記粉塵回収ノズルは、前記エアフィルタの表面を軸方向に往復移動するように備えられたヘッド移動機構に支持されたこと、
を特徴とする乾式集塵システムのエアフィルタ内部粉塵除去装置。
【発明の詳細な説明】
【技術分野】
【０００１】
本発明は、乾式集塵システムに用いるエアフィルタ内部粉塵除去装置に関する技術であり、特にエアフィルタの表面更新の技術に関する。
【背景技術】
【０００２】
脱穀機や穀物用の乾燥機などの施設機器を使う際などに出る排気には、粃や籾殻などといった雑多なものを含む粉塵が混じっている。このため、排気から粉塵を除去する必要があり、フィルタなどを通して排気をクリーンにしてから排出するのが一般的である。しかし、このフィルタは粉塵によって目詰まりを起こしてしまい、排気効率が低下してしまうために、効率的なフィルタの清掃方法が求められている。
【０００３】
特許文献１には、フィルタバグのダスト除去装置に関する技術が開示されている。ベース上に少なくとも上下一対の回転可能な回転ブラシ、前後一対の回転可能な回転ブラシのうち一方を有したブラッシング装置を設けている。このブラッシング装置の一方側におけるベース上の外周にフィルタを有しているフィルタバグを設ける。このフィルタバグはブラッシング装置に対して往復自在に設けられている。ブラッシング装置の他方側におけるベース上には、左右方向へ延伸したエアパイプを設けられている。このエアパイプの一端に一対のブラシの間に臨んだ吐出ノズルを設けると共に、エアパイプの他端に開閉弁を設けている。この様な構成によって、バグフィルタを定期的に外して表面更新を行い、フィルタの目詰まりを防いでいる。
【先行技術文献】
【特許文献】
【０００４】
【特許文献１】特開平１０−２８８３０号公報
【発明の概要】
【発明が解決しようとする課題】
【０００５】
しかしながら、カントリーエレベータなどに用いられる施設機器などの排気に特許文献１に記載の技術を適用する場合、フィルタの大きさなどの問題から同様の構成を用いることは困難であると考えられる。これは、特許文献１に用いられているバグフィルタの濾布は、集塵機の内部から取り外した後にブラッシング装置にかけて粉塵を除去する構成であるためである。フィルタを外して清掃する為のスペースを確保する必要があるため、フィルタが大きくなるとその為のスペースも大きくなり、適用が難しくなる。施設機器の処理能力が大きくなると、排気の量も増えて、必然的にフィルタは大きなものが必要となる。また、脱穀機などの排気に用いられているフィルタは、大径の円筒体の表面に起毛素材の濾布を配置した構成となっており、頻繁に取り外すことは難しい。この為、フィルタが取り付けられた状態で表面更新ができることが望ましい。
【０００６】
そこで、本発明はこの様な課題を解決する為に、起毛素材を用いたフィルタの表面更新が可能な乾式集塵システムのエアフィルタ内部粉塵除去装置を提供することを目的とする。
【課題を解決するための手段】
【０００７】
前記目的を達成するために、本発明の一態様による乾式集塵システムのエアフィルタ内部粉塵除去装置は、以下のような特徴を有する。
【０００８】
（１）乾式集塵システムに備えられたエアフィルタ表面より、粉塵を回収する粉塵回収ノズルと、前記粉塵回収ノズルにホースを介して接続される集塵機と、を有する乾式集塵システムのエアフィルタ内部粉塵除去装置において、前記エアフィルタは、起毛素材が用いられて円筒状のフレームの外表面に設けられ、前記フレームは円筒の中心軸を回転軸に回転する回転機構を備え、前記粉塵回収ノズルには、回転機構を有して前記エアフィルタ表面を擦るように突出するブラシが設けられた回転ブラシが備えられ、前記粉塵回収ノズルは、前記エアフィルタの表面を軸方向に往復移動するように備えられたヘッド移動機構に支持されたこと、を特徴とする。
【０００９】
上記（１）に記載の態様によれば、起毛素材が用いられたフィルタの内部に入り込んだ粉塵を効率よくブラシによって掻き出し、粉塵回収ノズルによって回収することが可能となる。これは円筒状のフレームの外表面にフィルタが取り付けられた状態で行う事ができるので、フィルタを外して掃除をし、再びフィルタを取り付けるといった手間が発生しない点で、効率的にフィルタの表面再生を行う事ができる。また、乾式集塵システムの運転中にもフィルタの表面再生が行える点が優れている。
【図面の簡単な説明】
【００１０】
【図１】本実施形態の、乾式集塵システムの概要を示す模式平面図である。
【図２】本実施形態の、円筒フィルタと粉塵回収ノズルの斜視図である。
【図３】本実施形態の、粉塵回収ノズルの斜視図である。
【発明を実施するための形態】
【００１１】
まず、本発明の実施形態について図面を用いて説明を行う。図１に、本実施形態の乾式集塵システム１００の概要を示す。乾式集塵システム１００は、一次沈降室１１０と、集塵機構２００と、ダスト回収機構１５０の３つの部分から構成される。
【００１２】
一次沈降室１１０は、吸気口１１１と送気口１１２を備えた箱状の構造となっている。
集塵機構２００は、円筒フィルタ２２０と、それを回転駆動するフィルタ用モータ２１０を備えている。図２に、円筒フィルタ２２０と粉塵回収ノズル１５５を斜視図に示す。円筒フィルタ２２０は、円筒形状に形成されたフレーム２２１の外周に、毛の長さが１０ｍｍ程度の起毛素材を用いたエアフィルタ２２２が貼り付けられた構造になっている。
【００１３】
エアフィルタ２２２は円筒フィルタ２２０の軸方向に３枚並べられる。便宜上、順に左側フィルタ２２２ａ、中央フィルタ２２２ｂ、右側フィルタ２２２ｃと称呼することとする。３枚とも同じ幅に設定されている。フレームの直径は、２５００ｍｍ程度、幅は５０００ｍｍ程度に設計されているが、集塵機構２００の大きさによって適宜選定されるべきである。
【００１４】
円筒フィルタ２２０は、中空部が清浄排気口２１１に接続されている。清浄排気口２１１から円筒フィルタ２２０を通って清浄化されたエアが外に排気される。また、フィルタ用モータ２１０によって、円筒フィルタ２２０は２０ｒｐｍ程度の速度でゆっくりと回転されている。そして、粉塵回収ノズル１５５がエアフィルタ２２２に当接するように配置されている。粉塵回収ノズル１５５は、左側フィルタ２２２ａと当接する第１ノズル１５５ａと、中央フィルタ２２２ｂと当接する第２ノズル１５５ｂと、右側フィルタ２２２ｃと当接する第３ノズル１５５ｃよりなる。第１ノズル１５５ａと第２ノズル１５５ｂと第３ノズル１５５ｃはそれぞれ同じ幅に設定されている。
【００１５】
そして、第１ノズル１５５ａ、第２ノズル１５５ｂ、第３ノズル１５５ｃは、それぞれレール２２３上に、円筒フィルタ２２０の軸方向に移動可能に保持されている。第１ノズル１５５ａ、第２ノズル１５５ｂ、及び第３ノズル１５５ｃの移動機構に関しては、特に図示していないが、第１ノズル１５５ａ、第２ノズル１５５ｂ、または第３ノズル１５５ｃが本実施形態ではそれぞれ独立して移動する必要は無いので、レール２２３ごと左右に移動する構造である。第１ノズル１５５ａ、第２ノズル１５５ｂ、及び第３ノズル１５５ｃは、それぞれ左側フィルタ２２２ａ、中央フィルタ２２２ｂ、及び右側フィルタ２２２ｃの幅一杯に移動可能な構造となっている。
【００１６】
図３に、粉塵回収ノズル１５５の斜視図を示す。粉塵回収ノズル１５５には、回動可能に設けられた回転ブラシ１５７が備えられている。回転ブラシ１５７は、回転軸１５９にブラシ１５８が複数設けられた構造となっている。回転ブラシ１５７は、ブラシ用モータ１５６によって回転する。接続口１６０には、図２に示すようにダクトホース１６１が接続される。ダクトホース１６１は後述するクリーニングファン１５１に接続される。
【００１７】
ダスト回収機構１５０は、クリーニングファン１５１と、サイクロン１５２、ロータリーバルブ１５３、及びフレキシブルコンテナバッグ１５４よりなる。ダクトホース１６１に接続されたクリーニングファン１５１は、サイクロン１５２へとエアを送り込む。そして、サイクロン１５２で粉塵を分離してロータリーバルブ１５３を介してフレキシブルコンテナバッグ１５４に粉塵を落とし、排出流路１６２よりクリーンになったエアを一次沈降室１１０に送り込む。
【００１８】
次に、乾式集塵システム１００に関する空気の流れについて、概略を説明する。乾式集塵システム１００は上述した構成で、例えば、図示しない脱穀機からの排気を吸い、クリーンにする。脱穀機などからの排気は、吸気口１１１から乾式集塵システム１００に送られる。そして、一次沈降室１１０に通される。一次沈降室１１０では、吸気口１１１より一次沈降室１１０の断面積が大きいために、一次沈降室１１０の中に排気が入った段階で流速が遅くなる。これにより沈降速度が排気の流速よりも速い粉塵が一次沈降室１１０の下側に沈降する。そして、一次沈降室１１０の上側に設けられた送気口１１２より、エアフィルタ２２２に排気が供給される。
【００１９】
送気口１１２より連通された排気は、エアフィルタ２２２を通過して清浄排気口２１１から排出される。排気がエアフィルタ２２２を通過する際には、一次沈降室１１０で落ちなかった粉塵がエアフィルタ２２２によって漉しとられる。このエアフィルタ２２２に付着した粉塵は、粉塵回収ノズル１５５によって回収される。粉塵回収ノズル１５５は、ダクトホース１６１を介してクリーニングファン１５１が接続される。クリーニングファン１５１が稼働することで、ダクトホース１６１側からエアを吸い上げ、サイクロン１５２に送気される。
【００２０】
サイクロン１５２では、粉塵と排気とが分離される。そして、粉塵はフレキシブルコンテナバッグ１５４に落とされ、サイクロン１５２の上部に接続される排出流路１６２から、排気が一次沈降室１１０に送られる。この様に排気が循環することで、徐々に粉塵が回収される。
【００２１】
乾式集塵システム１００は上記構成であるので、以下に説明する作用及び効果を奏する。
【００２２】
まず、エアフィルタの表面更新が容易になる点が挙げられる。これは、本実施形態の乾式集塵システム１００が、乾式集塵システム１００に備えられたエアフィルタ２２２の表面より、粉塵を回収する粉塵回収ノズル１５５と、粉塵回収ノズル１５５にダクトホース１６１を介して接続されるダスト回収機構１５０と、を有する乾式集塵システム１００のエアフィルタ内部粉塵除去装置において、エアフィルタ２２２は、起毛素材が用いられて円筒状のフレーム２２１の外表面に設けられ、フレーム２２１は円筒の中心軸を回転軸に回転する回転機構であり、回転する動力としてフィルタ用モータ２１０が接続され、粉塵回収ノズル１５５には、ブラシ用モータ１５６を有してエアフィルタ２２２表面を擦るように突出するブラシ１５８が設けられた回転ブラシ１５７が備えられ、粉塵回収ノズル１５５は、エアフィルタ２２２の表面を軸方向に往復移動するように備えられたヘッド移動機構に支持されたこと、を特徴とする。
【００２３】
粉塵回収ノズル１５５が、エアフィルタ２２２の表面に対して、フレーム２２１の軸方向に移動しながら粉塵回収を行う。エアフィルタ２２２が備えられた円筒フィルタ２２０はゆっくりと回転しているため、エアフィルタ２２２の表面全体を粉塵回収ノズル１５５で掃除することができることになる。また、粉塵回収ノズル１５５には回転ブラシ１５７が設けられていて、エアフィルタ２２２の表面を擦るように回転している。また回転ブラシ１５７の回転方向はエアフィルタ２２２の回転方向に揃えられている。このため、起毛素材で作られたエアフィルタ２２２の内部に入り込んだ粉塵を、ブラシ１５８が掻きだして、それをクリーニングファン１５１によって吸うことで、フレキシブルコンテナバッグ１５４の中に回収することができる。回転ブラシ１５７とエアフィルタ２２２の回転方向が揃えられたことによっても、粉塵の掻き出し効果を高めている。
【００２４】
この作業は、集塵機構２００を動かしながら粉塵回収ノズル１５５によって継続的に粉塵を回収することが出来る。このため、脱穀作業などを中断してエアフィルタ２２２の表面更新作業を行わずとも、エアフィルタ２２２の表面更新が定期的に行われる。その結果、エアフィルタ２２２の交換のスパンを長くすることが可能となる。これまでは、こうした起毛素材を使ったエアフィルタ２２２の表面更新を行う際には、表面に付着した粉塵を吸い取るだけであったが、エアフィルタ２２２は次第に目詰まりしてしまい、定期的なエアフィルタ２２２の交換が必要であった。しかし、粉塵回収ノズル１５５に回転ブラシ１５７を設けることで、その交換スパンを長くすることが可能になることを確認している。
【００２５】
また、エアフィルタ２２２の寿命を長くすることが可能となり、エアフィルタ２２２の目詰まりを抑制することが出来るようになったので、乾式集塵システム１００のランニングコストを下げることに貢献できる。
【００２６】
以上、本発明に係る乾式集塵システムのエアフィルタ内部粉塵除去装置の実施形態を説明したが、本発明はこれに限定されるわけではなく、その趣旨を逸脱しない範囲で様々な変更が可能である。例えば、本実施形態では、粉塵回収ノズル１５５を用いて、エアフィルタ２２２の表面を常に吸引する態様を示したが、必要に応じて間欠運転にすることを妨げない。また、回転ブラシ１５７の回転数を上げた清掃モードを作って、定期的に重点的な清掃をする運用も効果的である為、取り入れても良い。また、本実施形態では脱穀機への使用を前提に説明を行っているが、これに限定されるものではなく、穀物用の乾燥機など、様々な施設機器に使用可能である。
【００２７】
また、粉塵回収ノズル１５５は本実施形態では３つ用いているが、これも数を増減することを妨げない。また、粉塵回収ノズル１５５を独立して動作させても良い。
【符号の説明】
【００２８】
１００      乾式集塵システム
１１０      一次沈降室
１５０      ダスト回収機構
１５５      粉塵回収ノズル
１５６      ブラシ用モータ
１５７      回転ブラシ
１６２      排出流路
２００      集塵機構
２１０      フィルタ用モータ
２１１      清浄排気口
２２１      フレーム
２２２      エアフィルタ
２２０      円筒フィルタ
【図１】
2017100083.tif 000003
【図２】
2017100083.tif 000004
【図３】
2017100083.tif 000005